(57)【特許請求の範囲】
【請求項１】
有底の容器であって、
有底の容器本体と、
前記容器本体下部の中央において、下方へ突出する底面凸部と、
前記容器本体下部において、前記底面凸部の周縁に取付けられ、下面からの平面視において前記容器本体上部の最大径より外方に向けて、容器全周に突出形成されたフランジ部と
を備え、
前記フランジ部の最大径は、前記容器本体上部の最大径よりも大きくなっているとともに、前記底面凸部の前記頂点は、前記フランジ部の最下端よりも下方に突出しており、
水平面上に容器を置いた場合、前記容器本体は、前記底面凸部の頂点と、前記フランジ部の周縁上の点とで支えられて傾斜した状態となり、
平面視において、前記容器本体が斜めに立っている状態での重心が、前記底面凸部の頂点と前記フランジ部の周縁上の前記点との間に位置する
ことを特徴とする収納容器。
【請求項２】
少なくとも前記底面凸部と前記フランジ部とは一体的に成形されるとともに、該フランジ部の上面には、前記容器本体と係合する係合部を有する
ことを特徴とする請求項１に記載の収納容器。
【請求項３】
少なくとも前記底面凸部と、前記容器本体の底面とは、一体的に成形されるとともに、前記フランジ部は、前記容器本体下部に嵌合するように、環状をなしている
ことを特徴とする請求項１に記載の収納容器。
【請求項４】
前記フランジ部は、前記容器本体下部の周縁から、下方へ向けて拡開するスカート形状をなしていることを特徴とする請求項１乃至３のいずれかに記載の収納容器。
【請求項５】
前記容器本体の上部に形成された凹部と、
前記凹部内面と前記容器本体内部に連通する差込口と、
前記差込口に着脱自在に差し込まれて前記凹部に載置され、前記凹部から前記容器本体内に垂下される液滴採取手段と
を備え、
前記差込口に差し込まれる前記液滴採取手段の垂下部分は、その直径が前記差込口の内径よりも小さく、前記凹部下方において揺動可能である
ことを特徴とする請求項１乃至４のいずれかに記載の収納容器。
【発明の詳細な説明】
【技術分野】
【０００１】
本発明は、例えば、コップやグラス、調味料入れ、その他の容器に係り、転倒を防止するとともに、デザイン性・娯楽性を高めた容器に関する。
【背景技術】
【０００２】
従来より、例えば、コップやグラス、調味料入れ等のように、上部に開口を有し、一定の深さを持った容器が、様々な用途で用いられている。これらの容器としては、例えば、飲料や調味料などを収容する容器や、日用品などでは、芳香剤やシャンプー等を収容する容器などがある。
【０００３】
ところで、従来より、例えば、飲料水が入ったコップが転倒してしまう問題があった。特に、幼児や高齢者、障害者などは、自身が思うように器具を扱えないため、不本意に容器に手などを引っ掛けてしまうことがあり、テーブルの上のコップなどを倒してしまうことが多くある。
【０００４】
このような問題を解決すべく、例えば特許文献１のようなコースターがある。この特許文献１に開示されたコースターは、 平面状の紙、或いはプラスチック等のシートを、屈曲させて凸状の立体に形成し、凸部の頂点を中心にコップ差し込み用の穴を設けてコップなどの容器下部に取付けるものであり、このような構成により、コップとコースターとが一体となり、風や揺れによる転倒を防止している。
【先行技術文献】
【特許文献】
【０００５】
【特許文献１】特開２００２−２４８０４４号公報
【発明の概要】
【発明が解決しようとする課題】
【０００６】
しかしながら、特許文献１に開示されたようなコースターの底部は、平坦に成形され、机上面に固定的に載置されるものであるため、例えば、ユーザーが誤ってコップに触れるなどした場合、その押圧力がそのまま、コップを転倒させるモーメント力として作用することとなり、その結果、一度安定を失うと、容易にコップは倒れてコップ内部の液体が溢れてしまうという問題があった。
【０００７】
そこで、本発明は、以上の点に鑑みてなされたもので、コップやグラス、調味料入れなど種々の容器において、デザイン性や娯楽性を高めつつ、ユーザーが誤って触ってしまっても、倒れにくい容器を提供することを目的とする。
【課題を解決するための手段】
【０００８】
上記課題を解決すべく本発明は、有底の容器であって、有底の容器本体と、前記容器本体下部の中央において、下方へ突出する底面凸部と、前記容器本体下部において、前記底面凸部の周縁に取付けられ、下面からの平面視において前記容器本体上部の最大径より外方に向けて、容器全周に突出形成されたフランジ部とを備え、前記フランジ部の最大径は、前記容器本体上部の最大径よりも大きくなっているとともに、前記底面凸部の前記頂点は、前記フランジ部の最下端よりも下方に突出しており、水平面上に容器を置いた場合、前記容器本体は、前記底面凸部の頂点と、前記フランジ部の周縁上の点とで支えられて傾斜した状態となり、平面視において、前記容器本体が斜めに立っている状態での重心が、前記底面凸部の頂点と前記フランジ部の周縁上の前記点との間に位置する。
【０００９】
このような発明によれば、容器は、底面凸部の頂点と、突出されたフランジ部の周縁の二点で支えられ、底面凸部の頂点を軸とし、フランジ部周縁で支持され、傾斜した状態で回転可能となる。これにより、例えば、ユーザーが誤って容器に触れてしまった場合であっても、底面凸部を軸として回転することで、押圧力を受け流すことができる。その結果、容器が倒れにくくなり、容器内部の内容物が溢れることを防止することができる。特に、本発明では、フランジ部の最大径が、容器本体上部の最大径以上となっているので、容器が斜めに立っている状態での重心が、底面凸部とフランジとの間に位置することとなり、安定性が向上される。また、本発明では、容器が、底面凸部を軸として、独楽のように回転するため、動きがユニークであり、娯楽性も向上されるとともに、そのユニークな動きを前提として容器をデザインできることから、デザインの多様化を期待することができる。
【００１０】
上記発明において、少なくとも底面凸部とフランジ部とは一体的に成形されるとともに、フランジ部の上面には、容器本体と係合する係合部を有することが好ましい。この場合には、例えば、一体的に成形された底面凸部及びフランジ部を、市販されているコップやグラスなどの容器と組み合わせることができ、既存の容器を倒れにくく、且つ、デザイン性に優れた容器として利用することができる。また、このように底面凸部及びフランジ部を容器本体と別にすることによって、例えば、例えば、底面凸部及びフランジ部をコースターのように用いて、コップ等のグラスと別に販売することができ、既存の容器類の商品価値を拡大することができる。
【００１１】
上記発明において、少なくとも底面凸部と、容器本体の底面とは、一体的に成形されるとともに、フランジ部は、容器本体下部に嵌合するように、環状をなしていることが好ましい。この場合には、底面凸部と容器本体の底面とが一体となった既存の容器を環状となったフランジ部と係合させることで、底面凸部を軸として回転可能とすることができ、既存の容器を倒れにくく、且つ、デザイン性に優れた容器として利用することができる。また、底面凸部と、容器本体の底面とを一体的に形成することにより、容器の底面の強度を高めることができるとともに、環状のフランジ部を容器本体下部に嵌め込むだけで本発明の構成を実現できることから、製造が容易となる。
【００１２】
上記発明において、フランジ部は、容器本体下部の周縁から、下方へ向けて拡開するスカート形状をなしていることが好ましい。この場合には、容器本体底面から、より高い位置にフランジ部を配置することができるとともに、机面との接点をより低い位置にできることから、安定性を高めることができる。
【００１３】
上記発明において、容器本体の上部に形成された凹部と、凹部内面と容器本体内部に連通する差込口と、差込口に着脱自在に差し込まれて凹部に載置され、凹部から容器本体内に垂下される液滴採取手段とを備え、差込口に差し込まれる液滴採取手段の垂下部分は、その直径が差込口の内径よりも小さく、凹部下方において揺動可能であることが好ましい。この場合、滴採取手段の垂下部分は、凹部の差込口に差し込むことで、容器本体内の内容物に接触させることができるため、垂下部分の下端に、内容物を付着させることができ、内容物を少量だけ採取することができる。また、さらに、液滴採取手段の垂下部分の直径は、差込口の内径よりも小さいので、垂下部分が凹部下方において揺動可能となり、容器の回転や揺れに追従して、垂下部分が常に鉛直方向に向けられ、内容物内に垂下部分先端を常に位置させることができ、内容物が確実に採取できるとともに、容器の回転や揺れにより，垂下部分によって内容物を撹拌することができる。
【発明の効果】
【００１４】
本発明によれば、コップやグラス、調味料入れなど種々の容器において、デザイン性や娯楽性を高めつつ、ユーザーが誤って触ってしまっても、倒れにくい容器を提供することができる。
【図面の簡単な説明】
【００１５】
【図１】（ａ）は、第１実施形態に係る容器の全体構成を示す断面図であり、（ｂ）は、第１実施形態に係る容器の設置状態を示す側面図である。
【図２】（ａ）は、第１実施形態の変更例に係る容器の全体構成を示す断面図であり、（ｂ）は、同変更例に係る容器の下面図である。
【図３】第１実施形態の変更例に係る容器の設置状態を示す側面図である。
【図４】（ａ）は、第２実施形態に係る容器の全体構成を示す断面図であり、（ｂ）は、同実施形態に係る容器の下面図である。
【図５】第２実施形態に係る容器の設置状態を示す側面図である。
【図６】（ａ）は、第３実施形態に係る容器の全体構成を示す断面図であり、（ｂ）は、同実施形態に係る容器の下面図である。
【図７】第３実施形態に係る容器の設置状態を示す側面図である。
【図８】（ａ）は、第３実施形態の変更例に係る醤油差しの一部を透過して示す側面図であり、（ｂ）は、その上面図であり、（ｃ）は、その側断面図である。
【図９】第３実施形態の変更例に係る容器の設置状態を示す側面図である。
【図１０】（ａ）は、第４実施形態に係るアロマランプを示す側面図であり、同図（ｂ）はその側断面図である。
【図１１】（ａ）は、第５実施形態に係るスタック容器を示す側面図及び即断面図であり、同図（ｂ）はその使用状態を示す説明図である。
【発明を実施するための形態】
【００１６】
［第１実施形態］
以下に添付図面を参照して、本発明に係る容器の実施形態を詳細に説明する。図１（ａ）は、第１実施形態に係る容器の全体構成を示す断面図であり、同図（ｂ）は、第１実施形態に係る容器の設置状態を示す側面図である。第１実施形態では、本発明に係る容器を、飲料用のコップ１０に適用した場合を例に説明する。
【００１７】
本実施形態にかかるコップ１０は、有底の容器本体１と、コースター２との組み合わせで構成されている。容器本体１は、一般的なコップやグラスであり、ガラス製やプラスチック製、陶器、金属製、紙製、木製など種々の形態が考えられる。
【００１８】
コースター２は、容器本体１に対し、着脱可能に又は固着して構成することができ、容器本体１と同様、ガラス製やプラスチック製、陶器、金属製、紙製、木製など種々の素材により形成することができる。このコースター２は、容器本体１の底面において、下方へ突出する底面凸部２２と、容器本体１の下部１１周縁に取付けられ、周縁から外方に向けて突出するフランジ部２３とを備えており、これら底面凸部２２とフランジ部２３とは、一体的に形成されている。
【００１９】
本実施形態においてフランジ部２３は円盤状をしており、その円形部分の最大径Ｒは、容器本体１の上部１ｂの最大径ｒと等しいか或いはそれよりも大きく設定されている。なお、本実施形態では、このフランジ部２３の形状を円盤状としたが、本発明はこれに限定されるものではなく、多角形状や、円周上に多数の半円形を配列させた花柄模様など、種々の形状とすることができる。このような多角形や花柄模様とした場合にはコースターの回転や揺動を規制することができ、また違ったデザイン性や娯楽性を創出することができる。
【００２０】
底面凸部２２は、本実施形態では、半球状をしており、フランジ部２３の下面に一体的に形成されている。なお、この底面凸部２２としては、半球状の他、円盤状や円柱状、円錐状など種々の形状が考えられる。
【００２１】
また、フランジ部２３の上面には、容器本体１の底部と係合する係合部２１を有している。この係合部２１は、フランジ部２３の上面中央に形成された円形の凹みであり、この凹みの側面は、深さ方向に径が小さくなるようにテーパー状に形成されている。このテーパー形状により、容器本体１の下部１１を凹みに押し込むことによって、容器本体１底部がフランジ部２３に嵌合されるようになっている。
【００２２】
この係合部２１としては、例えば図２及び図３に示すコップ１０ａのコースター２ａのように、凹みの周縁に縁部２５を設けて，凹みの深さを増大させるようにしてもよい。この縁部２５内周面には、例えば、容器本体１側面のテーパーよりも角度が大きいテーパーが形成されており、容器本体１の外周面と、縁部２５の内周面との間に隙間が形成されるようになっている。この角度の異なるテーパーによって、容器本体１の直径の差を吸収して、より確実にコースター２を嵌合させることができるとともに、隙間に水滴を留めることができ、コップの結露によって、コースター２の周辺が濡れるのを防止できる。なお、本変更例に係るフランジ部２３ａは、容器本体１の下部周縁から、下方へ向けて拡開するスカート形状をなし、底面凸部２２を覆うように、環状のフランジ部２３ａが嵌合されている。
【００２３】
なお、この図２及び図３に示した変更例においても、フランジ部２３ａの形状を円盤状としたが、多角形状や、円周上に多数の半円形を配列させた花柄模様など、種々の形状とすることができる。また、底面凸部２２についても、半球状の他、円盤状や円柱状、円錐状など種々の形状が考えられる。
【００２４】
このような第１実施形態によれば、容器本体１は、底面凸部２２の頂点と、側方に向けて突出されたフランジ部２３の周縁の二点で支えられ、底面凸部２２の頂点を中心軸とし、フランジ部２３周縁で支持され、傾斜した状態で回転可能となる。これにより、例えば、使用者が誤って容器に触れてしまった場合であっても、底面凸部２２を中心軸として回転することで、接触による押圧力を受け流すことができる。その結果、容器本体１が倒れにくくなり、容器内部の内容物が溢れることを防止することができる。特に、本実施形態では、フランジ部２３の最大径Ｒが、容器本体１上部の最大径ｒ以上となっているので、容器が斜めに立っている状態での重心が、底面凸部１２とフランジ部２３との間に位置することとなり、安定性が向上される。
【００２５】
さらに、本実施形態では、容器が、底面凸部２２の頂点を回転軸として、独楽のように回転するため、動きがユニークであり、娯楽性も向上されるとともに、そのユニークな動きを前提として容器をデザインできることから、デザインの多様化を期待することができる。
【００２６】
また、本実施形態では、底面凸部２２とフランジ部２３とが一体的に成形されてコースターとなっていることから、市販されているコップやグラスなどの既存の容器と任意に組み合わせることができ、既存の容器を倒れにくく、且つ、デザイン性に優れた容器として利用することができる。また、このように底面凸部２２及びフランジ部２３をコースターとして、容器本体１と別にすることによって、容器本体１と別に販売することができ、既存の容器類の商品価値を拡大することができる。
【００２７】
なお、本実施形態において、図２に示した例のように、フランジ部２３ａが、容器本体１下部の周縁から、下方へ向けて拡開するスカート形状をなしているため、容器本体１底面から、より高い位置にフランジ部２３ａを取付けることができるとともに、フランジ部２３ａ周縁の机面との接点をより低い位置にできることから、安定性を高めることができる。
【００２８】
［第２実施形態］
次いで、本発明の第２実施形態について説明する。本実施形態では、上述した第１実施形態で別々になっていた容器本体と、底面凸部とを一体形成したことを特徴とする。図４（ａ）は、本実施形態に係るコップ１０ｂを示す断面図であり、同図（ｂ）は、その下面図であり、図５は、その側面図である。なお、本実施形態において、上述した第１実施形態と同一の構成要素には同一の符号を付し、その機能等は特に言及しない限り同一であり、その説明は省略する。
【００２９】
図４（ａ）、（ｂ）及び図５に示すように、本実施形態において、コップ１０ｂの、少なくとも底面凸部１２と、容器本体１ａの底面とは、一体的に成形されてい。また、コースター２ｂのフランジ部２６は、容器本体１ａの下部に嵌合するように環状をなしており、このフランジ部２６は、容器本体１ａの下部周縁から、下方へ向けて拡開するスカート形状をなしている。
【００３０】
詳述すると、本実施形態では、容器本体１ａの底部は、二次曲線形状をなすことによって、底面凸部１２を形成しており、この底面凸部１２を覆うように、環状のフランジ部２６が嵌合されている。本実施形態においてフランジ部２６も、その円形部分の最大径Ｒは、容器本体１ａの上部の最大径ｒと等しいか、或いはそれよりも大きく設定されている。そして、このフランジ部２６の中央には、容器本体１ａの底部と係合する係合部２７として円形の穴２７ａが開けられている。この穴２７ａに容器本体１ａの底部を押し込むことによって、容器本体１ａの底部がフランジ部２６に嵌合されるようになっている。
【００３１】
なお、この係合部２７にも、穴２７ａの周縁に縁部２５を設けられており、凹みの深さを増大させている。この縁部２５内周面には、例えば、容器本体１ａ側面のテーパーよりも緩めのテーパーが形成されており、容器本体１ａの外周面と、縁部２５の内周面との間に隙間が形成されるようになっている。この角度の異なるテーパーによって、容器本体１ａの直径の誤差を吸収して、より確実にコースター２ｂを嵌合させることができるとともに、隙間に水滴を留めることができ、コップの結露によって、コースター２ｂの周辺が濡れるのを防止できる。
【００３２】
このような第２実施形態によれば、底面凸部１２と、容器本体１ａの底面とを一体的に成形し、フランジ部２６は、容器本体１ａ下部に嵌合するように、環状をなしているため、容器本体１ａの底面を中心軸として回転可能とすることができ、既存の容器を倒れにくく、且つ、デザイン性に優れた容器として利用することができる。また、底面凸部１２と、容器本体１ａの底面とを一体的に形成することにより、容器本体１ａの底面の強度を高めることができるとともに、環状のフランジ部２６を容器本体１ａ下部に嵌め込むだけで、容易に容器１０ｂを製造することができる。
【００３３】
なお、本実施形態においても、フランジ部２６は、容器本体１ａ下部の周縁から、下方へ向けて拡開するスカート形状をなしているため、容器本体１ａ底面から、より高い位置にフランジ部２６を取付けることができるとともに、フランジ部２６周縁の机面との接点をより低い位置にできることから、安定性を高めることができる。
【００３４】
［第３実施形態］
次いで、本発明の第３実施形態について説明する。本実施形態では、本発明を醤油差しに適用したことを特徴とする。図６（ａ）は、本実施形態に係る醤油差し３０を示す上面図であり、同図（ｂ）はその側面図であり、図７（ａ）は、その正面図であり、同図（ｂ）は、（ａ）に示すｂ−ｂ断面図である。なお、本実施形態において、上述した第１実施形態と同一の構成要素には同一の符号を付し、その機能等は特に言及しない限り同一であり、その説明は省略する。
【００３５】
図６（ａ）、（ｂ）及び図７に示すように、醤油差し３０は、上部に開口を有する容器本体３１に、嵌込部３４ｂを介して、蓋体３４を取付けて使用するものであり、蓋体３４には、内部に連通する注ぎ口３４ａが設けられている。
【００３６】
本実施形態において、醤油差し３０は、底面凸部１２と、容器本体３１の底面と、フランジ部３２とが、一体的に成形されている。また、このフランジ部３２は、容器本体３１の下部周縁から、下方へ向けて拡開するスカート形状をなしている。
【００３７】
詳述すると、本実施形態では、容器本体３１の底部は、二次曲線形状をなすことによって、底面凸部３３を形成しており、この底面凸部３３を覆うように、環状のフランジ部３２が一体成形されている。本実施形態においてフランジ部３２も、その円形部分の最大径Ｒは、容器本体１ａの上部の最大径ｒと等しいか、或いはそれよりも大きく設定されている。
【００３８】
なお、このような蓋体を有する容器としては、図９に示すような、砂糖や塩等の調味料入れ３０ａのような形態とすることもできる。図９に示した例では、容器本体３１に蓋体３４１を嵌め込むようになっている。
【００３９】
このような醤油差し３０によれば、容器本体３１の底面を中心軸として回転可能とすることができ、容器本体３１を倒れにくく、且つ、デザイン性に優れた容器として利用することができる。特に、本実施形態では、底面凸部３３と、容器本体３１の底面とを一体的に成形し、さらにフランジ部３２も、容器本体３１下部に一体的に成形されているため、製造が容易である。
【００４０】
なお、上述した醤油差し３０については、図８に示すような変更を加えることができる。図８（ａ）は、本変更例に係る醤油差し３０の一部を透過して示す側面図であり、（ｂ）は、その上面図であり、（ｃ）は、その側断面図である。
【００４１】
図８に示すように、本変更例では、上述した第３実施形態の蓋体３４に、液滴採取手段３５を追加したことを特徴とする。すなわち、蓋体３４の上部に凹部３６を形成し、この凹部３６内面と容器本体３１内部に連通する差込口３６ａを形成し、液滴採取手段３５を、差込口３６ａに着脱自在に差し込んで載置する。
【００４２】
この液滴採取手段３５は、ツマミ部３５ｃと、ツマミ部３５ｃから下方へ延びる垂下部分である棒状のスティック部３５ａと、スティック部３５ａの下端に取付けられたブラシ部３５ｂとから構成されている。そして、液滴採取手段３５は、そのブラシ部３５ｂを、凹部３６から容器本体３１内に垂下させることにより、容器本体３１内の液体をブラシ部３５ｂに含浸させ、ツマミ部３５ｃをつまみ上げることにより、液体を数滴分だけ採取することができる。
【００４３】
一方、凹部３６は、内壁が球面状に形成され、液滴採取手段３５のツマミ部３５ｃを載置できるようになっているとともに、差込口３６ａに差し込まれるスティック部３５ａは、その直径が差込口３６ａの内径よりも小さく設定されており、凹部３６下方において揺動可能となっている。
【００４４】
このような変更例によれば、液滴採取手段３５のスティック部３５ａは、凹部３６の差込口３６ａに差し込むことで、容器本体３１内の内容物１３に接触させることができるため、スティック部３５ａの下端に、内容物１３を付着させることができ、内容物１３を少量だけ採取することができる。また、さらに、スティック部３５ａの直径は、差込口３６ａの内径よりも小さいので、スティック部３５ａが凹部３６の下方において揺動可能となり、醤油差し３０の回転や揺れに追従して、スティック部３５ａが常に鉛直方向に向けられ、内容物１３内にスティック部３５ａ先端を常に位置させることができ、内容物１３が確実に採取できるとともに、容器の回転や揺れにより，垂下部分によって内容物１３を撹拌することができる。
【００４５】
［第４実施形態］
次いで、本発明の第４実施形態について説明する。本実施形態では、本発明をアロマランプに適用したことを特徴とする。図１０（ａ）は、本実施形態に係るアロマランプ４０を示す側面図であり、同図（ｂ）はその側断面図である。なお、本実施形態において、上述した第１実施形態と同一の構成要素には同一の符号を付し、その機能等は特に言及しない限り同一であり、その説明は省略する。
【００４６】
図１０（ａ）及び（ｂ）に示すように、アロマランプ４０は、内部中空の容器本体４１の上部に上部に蒸発皿４５を有する芳香器であり、容器本体４１の側面には、キャンドル６を出し入れするための開口部４１ａが開けられている。
【００４７】
本実施形態において、アロマランプ４０は、底面凸部４３と、容器本体４１の底面と、フランジ部４２とが一体的に成形されている。また、このフランジ部４２は、容器本体４１の下部周縁から、下方へ向けて拡開するスカート形状をなしている。
【００４８】
詳述すると、本実施形態では、容器本体４１の底部は、二次曲線形状をなすことによって、底面凸部３３を形成しており、この底面凸部４３を覆うように、環状のフランジ部４２が一体成形されている。本実施形態においても、フランジ部４２も、その円形部分の最大径は、容器本体４１の上部の最大径ｒと等しいか、或いはそれよりも大きく設定されている。
【００４９】
蒸発皿４５は、容器本体４１の上部開口に嵌め込まれた半球状の器であり、エッセンシャルオイル等のアロマオイルが注入され、容器本体４１内部に設置されたキャンドル６の炎６ａにより加熱されることにより、アロマオイルを蒸発させる。
【００５０】
このようなアロマランプ４０によれば、容器本体４１の底面を中心軸として回転可能とすることができ、容器本体４１を倒れにくく、且つ、デザイン性に優れた容器として利用することができる。特に、アロマランプ４０の揺動により、アロマオイルが均等に加熱されるとともに、その揺動によって灯りも揺れることとなり、テラピー効果の向上も期待できる。
【００５１】
［参考実施形態］
次いで、本発明の参考としての実施形態について説明する。本実施形態では、本発明の参考例として、スタック容器に応用したことを特徴とする。図１１（ａ）は、本実施形態に係るスタック容器５０を示す側面図及び即断面図であり、同図（ｂ）はその使用状態を示す説明図である。なお、本実施形態において、上述した第１実施形態と同一の構成要素には同一の符号を付し、その機能等は特に言及しない限り同一であり、その説明は省略する。
【００５２】
図１１（ａ）及び（ｂ）に示すように、スタック容器５０は、内部中空の容器本体４１の上部開口を、嵌込部５５を介して、蓋体５４で閉止して使用する容器であり、複数積み重ねることができるようになっている。蓋体５４は、連結部５５を介して、容器本体５１に着脱可能となっているとともに、蓋体５４の上部には凹部５４ａが形成され、上方に積まれたスタック容器５０の底面凸部５３が収納され、安定して積み重ねられるようになっている。なお、最下段のスタック容器５０には、その下部にスタンド６０を取付けられるようになっており、必要に応じてスタック容器５０の揺動を制止させるようにしてもよい。
【００５３】
本実施形態において、スタック容器５０は、底面凸部５３と、容器本体５１の底面と、フランジ部５２とが一体的に成形されている。また、本実施形態では、容器本体５１の下部周縁がそのままフランジ部５２となっている。詳述すると、本実施形態では、容器本体５１の底部は、二次曲線形状をなすことによって、底面凸部５３を形成しているが、この底面凸部５３上部の容器本体５１底面がそのままフランジ部５２となっており、フランジ部５２から容器本体５１側面まで連続的な曲面として一体成形されている。
【００５４】
このようなスタック容器５０によれば、個々のスタック容器５０にあっては、倒れにくく、またデザイン性・娯楽性が向上されるとともに、複数を積み重ねることにより、省スペース化を図ることができ、収納性を高めることができる。
【００５５】
［変更例］
なお、本発明は、上述した各実施形態に限定されず、他の容器にも応用することができる。例えば、携帯電話を載置しておく携帯ホルダーや、筆記用具を立てておく筆立て、花瓶などのインテリア、灰皿などにも応用することができる。
【符号の説明】
【００５６】
１，１ａ，３１，４１，５１…容器本体
２…コースター
６…キャンドル
６ａ…炎
１０，１０ａ，１０ｂ…コップ
１２，２２，３３，４３，５３…底面凸部
１３…内容物
２１，２７…係合部
２３，２３ａ，２６，３２，４２，５２…フランジ部
２５…縁部
２７ａ…穴
３０…醤油差し
３０ａ…調味料入れ
３４，５４，３４１…蓋体
３４ａ…注ぎ口
３５…液滴採取手段
３５ａ…スティック部
３５ｂ…ブラシ部
３５ｃ…ツマミ部
３６…凹部
３６ａ…差込口
４０…アロマランプ
４１ａ…開口部
４５…蒸発皿
５０…スタック容器
５４ａ…凹部
５５…連結部
６０…スタンド
【図１】
0006025135.tif 000002
【図２】
0006025135.tif 000003
【図３】
0006025135.tif 000004
【図４】
0006025135.tif 000005
【図５】
0006025135.tif 000006
【図６】
0006025135.tif 000007
【図７】
0006025135.tif 000008
【図８】
0006025135.tif 000009
【図９】
0006025135.tif 000010
【図１０】
0006025135.tif 000011
【図１１】
0006025135.tif 000012